(57)【要約】【課題】移動通信のネットワークを利用して移動端末の設定を行う。【解決手段】ＷＧＷ端末１６が、移動機１０のサービス利用抑止の指示を入力すると、サービス利用抑止のショートメッセージが作成されて、ＣＡＭＳ１３からＳＭＳＣ１２を中継して移動機１０へ配信される。移動機１０は、これを受けてサービス利用抑止のフラグを設定する。【選択図】  図１
2004172968.tif 000002
【特許請求の範囲】
【請求項１】
着信した文字メッセージの内から、設定指示の制御メッセージを検出する検出手段と、
該検出手段が制御メッセージを検出した際に、当該制御メッセージの設定指示に応じた設定を行う設定手段と、
を備えることを特徴とする移動端末。
【請求項２】
前記検出手段が制御メッセージを検出した際に、制御メッセージを受けたことを示す応答を文字メッセージとして相手先に返すようにしたことを特徴とする請求項１記載の移動端末。
【請求項３】
送られてきた文字メッセージを、該当する配信先に向けて送るようにした文字メッセージサーバと、
該文字メッセージサーバに、移動端末の設定指示の要求を制御メッセージとして送出可能なサーバとを備え、
前記文字メッセージサーバは、前記サーバからの制御メッセージを、指定された配信先の移動端末に配信することにより、当該制御メッセージの設定指示に応じた設定が移動端末において行われるようにしたことを特徴とする移動端末制御システム。
【請求項４】
前記移動端末は、制御メッセージの設定指示を受けた際に、その旨を示す応答を文字メッセージとして前記文字メッセージサーバに返し、前記文字メッセージサーバは、その文字メッセージを前記サーバに配信するようにしたことを特徴とする請求項３記載の移動端末制御システム。
【発明の詳細な説明】
【０００１】
【発明の属する技術分野】
本発明は、移動端末の設定をネットワーク側から行える移動端末制御システムおよび移動端末に関する。
【０００２】
【従来の技術】
移動通信システムは、第１世代が、１９８０年代のアナログ方式の移動通信システム（ＮＴＴ方式，ＡＭＰＳ（Ａｄｖａｎｃｅｄ  Ｍｏｂｉｌｅ  Ｐｈｏｎｅ  Ｓｅｒｖｉｃｅ），ＴＡＣＳ（Ｔｏｔａｌ  Ａｃｃｅｓｓ  Ｃｏｍｍｕｎｉｃａｔｉｏｎｓ  Ｓｙｓｔｅｍ）など）とされ、第２世代が、１９９０年代のディジタル方式の移動通信システム（ＰＤＣ（Ｐｅｒｓｏｎａｌ  Ｄｉｇｉｔａｌ  Ｃｅｌｌｕｌａｒ  ｔｅｌｅｃｏｍｍｕｎｉｃａｔｉｏｎ  ｓｙｓｔｅｍ），ＧＳＭ（ｇｌｏｂａｌ  ｓｙｓｔｅｍ  ｆｏｒ  ｍｏｂｉｌｅ  ｃｏｍｍｕｎｉｃａｔｉｏｎ），ＩＳ−５４，ＩＳ−９５など）とされている。さらに、第３世代は、サービス開始当初で６４〜３８４ｋｂｐｓ、将来は２Ｍｂｐｓ  という高速通信が実現される。これにより、第３世代では現行の第２世代移動通信システムにおいても可能であったモバイルインターネット接続サービス等についても、より快適かつ大容量で利用することが可能となり、高速パケット通信の進展や、ＰＣカードタイプの携帯端末の発展、マルチコール（音声とパケットの同時通信）、添付ファイル付のメール、動画アプリケーション（ストリーミング等）、テレビ電話などの多様なサービスが実現可能となる。このような移動通信システムの普及はめざましく、我が国においては移動端末の普及台数は６０００万台を超えるまでに至っている。この移動端末は携帯電話機として普及しており、第２世代においても携帯電話機を端末としてインターネットメールを送受信することや、ウェブコンテンツをインターネット上のサーバから取得することが可能とされている。
【０００３】
【発明が解決しようとする課題】
携帯電話機における移動通信のネットワークにおいては、種々のサービスが提供されており、ユーザはそのサービスを選択して受けることができるようにされている。サービスは、無料のサービスもあるが有料とされているサービスも数多く提供されている。そこで、ユーザが受けたいサービスを選択した際に、そのサービスを受けられるようにする設定、あるいは、ユーザが受けたくないサービスを選択した際に、そのサービスを受けられないようにする設定を携帯電話機に行うことになる。この設定は、有料サービスがあることからユーザが任意に行うことができないようにされており、ユーザが携帯電話機を購入した際に行うようにされていた。
【０００４】
しかしながら、ユーザが携帯電話機を購入した際に設定を行うようにすると、その後に設定し直す場合は、設定を行えるところまで携帯電話機を持っていかなければならず、煩雑になると共に多くの時間を要するという問題点があった。
【０００５】
そこで、本発明は移動通信のネットワークを利用して移動端末の設定を行えるようにした移動端末制御システムおよび移動端末を提供することを目的としている。
【０００６】
上記目的を達成するために、本発明の移動端末は、着信した文字メッセージの内から、設定指示の制御メッセージを検出する検出手段と、該検出手段が制御メッセージを検出した際に、当該制御メッセージの設定指示に応じた設定を行う設定手段とを備えている。
また、上記本発明の移動端末において、前記検出手段が制御メッセージを検出した際に、制御メッセージを受けたことを示す応答を文字メッセージとして相手先に返すようにしてもよい。
【０００７】
次た、上記目的を達成することのできる本発明の移動端末制御システムは、送られてきた文字メッセージを、該当する配信先に向けて送るようにした文字メッセージサーバと、該文字メッセージサーバに、移動端末の設定指示の要求を制御メッセージとして送出可能なサーバとを備え、前記文字メッセージサーバは、前記サーバからの制御メッセージを、指定された配信先の移動端末に配信することにより、当該制御メッセージの設定指示に応じた設定が移動端末において行われるようにしている。
また、上記本発明の移動端末制御システムにおいて、前記移動端末は、制御メッセージの設定指示を受けた際に、その旨を示す応答を文字メッセージとして前記文字メッセージサーバに返し、前記文字メッセージサーバは、その文字メッセージを前記サーバに配信するようにしてもよい。
【０００８】
このような本発明によれば、文字メッセージの配信サービスという既存のサービスを利用して、移動端末の設定を行うことができるようになる。このように、移動通信のネットワークを利用して移動端末の設定を行えることから、短時間でしかも簡単に移動端末の設定を行えるようになる。
【０００９】
【発明の実施の形態】
本発明の実施の形態の移動端末制御システムを備えるネットワークの概略構成を図１に示す。
図１に示すネットワークは移動電話網であり、例えば携帯電話機とされる移動機（ＭＳ）１０とＳＭＳＣ（Ｓｈｏｒｔ  Ｍｅｓｓａｇｅ  Ｓｅｒｖｉｃｅ  Ｃｅｎｔｅｒ）１２、および、移動機１０とパケット交換機１４とは無線通信路１１を介して接続されている。ＳＭＳＣ１２はショートメッセージベアラをサポートして、ショートメッセージを中継する交換機であり、メール着信があった際に、宛先の移動機１０にメール着信の通知を作成して送信したり、ショートメッセージを宛先の移動機１０に配信している。さらに、移動機１０からのショートメッセージを受けた際には、その宛先へショートメッセージを配信している。パケット交換機１４は、パケットベアラをサポートしている交換機であり、移動機１０がウェブコンテンツ等を取得する際にＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）やＨＴＴＰ（Ｈｙｐｅｒｔｅｘｔ  Ｔｒａｎｓｆｅｒ  Ｐｒｏｔｏｃｏｌ）を用いて、パケット交換機１４を介して取得できるようにしている。
【００１０】
ＳＭＳＣ１２はＣＡＭＳ（Ｃｕｓｔｏｍｅｒ  Ａｃｃｏｕｎｔｉｎｇ  Ｍａｎｅｇｅｍｅｎｔ  Ｓｙｓｔｅｍ）１３と接続されている。ＣＡＭＳ１３は、エリア別情報配信サービスにおける加入者管理を行っているサーバであり、そのログ情報を蓄積しているログ情報記憶手段１３ａを備えている。パケット交換機１４は、ＷＧＷ（Ｗｅｂ  Ｇａｔｅｗａｙ  Ｓｙｓｔｅｍ）１５に接続されており、ＷＧＷ１５は、移動通信網のプロトコルとインターネットプロトコルとのゲートウェイの役割を果たしているサーバであり、これにより移動機１０において図示しないインターネットにアクセスして、インターネットから種々のサービスを受けることが可能となっている。ＷＧＷ１５は、そのログ情報を蓄積しているログ情報記憶手段１５ａと、ウェブ利用対象の加入者プロファイルであるユーザ情報を記憶するユーザ情報記憶手段１５ｂとを備えている。このＷＧＷ１５には、オペレータが操作可能なＷＧＷ端末１６が接続されている。
【００１１】
次に、本発明の実施の形態にかかる移動機１０のハードウェア構成の概略を示すブロック図を図３に示す。
図３において、２０はこの移動機全体の制御を行うＣＰＵ（中央処理装置）、２１はオペレーティングシステムやフラグ設定処理プログラムなど各種制御プログラムや各種アプリケーションプログラム、および各種データや音楽ファイルなどを記憶するＲＯＭやフラッシュメモリなどの不揮発性メモリからなるメモリカードおよびＤＲＡＭなどの揮発性メモリから構成されるメモリシステム（ＲＯＭ／ＲＡＭ）、２２は液晶等の表示部、２３はテンキーを備えるキー入力部である。また、２４はアンテナ、２５は高周波増幅器、受信ミキサ、中間周波増幅器および復調部などからなる受信部、２６は変調部、送信ミキサおよび送信電力増幅部などからなる送信部、２７は前記受信ミキサおよび送信ミキサに高周波信号を供給する周波数シンセサイザ、２８は音声信号処理などを行う信号処理部、２９は送話用マイク、３０は受話用スピーカ、３１はイヤホンジャック、３２はバスである。
【００１２】
次に、図１に示すネットワークにおいて、このように構成されている移動機１０に、その動作を規定するための制御フラグを設定する動作を説明する。例として、移動機１０において設定されているサービス利用を抑止する設定を行う例を上げる。
図１に示すように、まず、オペレータがＷＧＷ端末１６を操作して移動機１０のサービス利用を抑止する抑止入力を行う（図１の▲１▼参照）。この抑止入力を受けたＷＧＷ１５は、ＣＡＭＳ１３へ移動機１０のサービス利用の抑止要求の指示を送る（図１の▲２▼参照）。ＣＡＭＳ１３は、サービス利用の抑止要求の指示の宛先が移動機１０であることを検出して、移動機１０を宛先とするサービス利用の抑止要求の指示を行う制御メッセージを作成して送信する（図１の▲３▼参照）。このショートメッセージとされている制御メッセージは、ＳＭＳＣ１２で中継されて、サービス利用の抑止要求の指示を行う制御メッセージが、宛先である移動機１０に着信される。移動機１０は、着信したショートメッセージがフラグ設定のコマンドを含む制御メッセージであることを検出して、コマンドに応じたサービス利用抑止のフラグ設定処理を行う。これにより、オペレータがＷＧＷ端末１６に入力したサービス利用の抑止入力に対応するサービス利用抑止のフラグが移動機１０に設定されるようになる。
【００１３】
そして、移動機１０は、着信したショートメッセージが制御メッセージであった場合には、制御メッセージを受けたことを示す送信結果のメッセージをショートメッセージとして作成して、ＷＧＷ端末１６を宛先として送信する（図１の▲４▼参照）。このショートメッセージは、ＳＭＳＣ１２が中継してＣＡＭＳ１３に送られ、ＣＡＭＳ１３は移動機１０のサービス利用の抑止要求が処理されたことを示す処理結果をＷＧＷ１５に送信する（図１の▲５▼参照）。そして、ＷＧＷ１５は受けた処理結果をユーザ情報記憶手段１５ｂに記憶する。これにより、移動機１０のユーザ情報がサービス利用が抑止されたユーザ情報に更新されるようになる。また、ＷＧＷ１５はＷＧＷ端末１６に処理結果を送り、ＷＧＷ端末１６の表示器に処理結果の内容を表示させる。これにより、オペレータは移動機１０においてサービス利用抑止の設定がされたことを知ることができる。
【００１４】
このように、移動機１０にフラグを設定するフラグ設定処理が行われるが、対象となる移動機は移動機１０に限るものではなく、図示していない移動機においても同様に行うことができる。
次に、フラグ設定処理におけるＷＧＷ１５の処理について図２を参照しながら詳細に説明する。図２は、ＷＧＷ１５の構成と信号の流れを示す図である。
ＷＧＷ端末１６を操作するオペレータが、サービス利用抑止（解除）要求を指示する入力を行うと（図２のａ参照）、この入力がＷＧＷ１５におけるインタフェース端末１５ｃから取り込まれてデータベースサーバ１５ｄが備えるユーザ情報記憶手段（ＤＢ）１５ｂに、入力に対応する利用抑止オン／オフコマンドの実行中のステータスが保存される（図２のｂ参照）。また、インタフェース端末１５ｃは、入力されたサービス利用抑止（解除）要求の指示を、利用抑止オン／オフコマンドを利用して、ＣＡＭＳ１３へサービス利用抑止（解除）を指示する（図２のｃ参照）。
【００１５】
ＣＡＭＳ１３は、利用抑止オン／オフコマンドによるショートメッセージをＳＭＳＣ１２へ送信する（図２のｄ参照）。これにより、ＣＡＭＳ１３はＳＭＳＣ１２へ抑止情報を送信したことの送信完了ステータスを取得する。そして、取得したＳＭＳＣ１２への送信完了ステータスを応答としてＷＧＷ１５のインタフェース端末１５ｃに返す（図２のｅ参照）。インタフェース端末１５ｃは、この送信完了ステータスをデータベースサーバ１５ｄが備えるユーザ情報記憶手段（ＤＢ）１５ｂに保存し、実行中であって利用抑止オン／オフコマンドのステータスを完了とする（図２のｆ参照）。また、インタフェース端末１５ｃは、送信完了を応答としてＷＧＷ端末１６に送る。
なお、ＷＧＷ端末１６から、移動機１０の実行ステータスの閲覧要求があった場合は、上記と同様の動作が行われる。すなわち、サービス利用抑止（解除）要求に替えて実行ステータスの閲覧要求が移動機１０に配信される。これにより、移動機１０から返ってきた実行ステータスの状態情報がＷＧＷ端末１６の表示器に表示されるようになる。
【００１６】
【発明の効果】
本発明は以上説明したように、文字メッセージの配信サービスという既存のサービスを利用して、移動端末の設定を行うことができるようになる。このように、移動通信のネットワークを利用して移動端末の設定を行えることから、短時間でしかも簡単に移動端末の設定を行えるようになる。
【図面の簡単な説明】
【図１】本発明の実施の形態の移動端末制御システムを備えるネットワークの概略構成を示す図である。
【図２】本発明の実施の形態の移動端末制御システムにおけるＷＧＷの構成を信号の流れを示す図である。
【図３】本発明の実施の形態にかかる移動機１０のハードウェア構成の概略を示すブロック図である。
【符号の説明】
１０  移動機、１１  無線通信路、１２  ＳＭＳＣ、１３  ＣＡＭＳ、１３ａ  ログ情報記憶手段、１４  パケット交換機、１５  ＷＧＷ、１５ａ  ログ情報記憶手段、１５ｂ  ユーザ情報記憶手段、１５ｃ  インタフェース端末、１５ｄ  データベースサーバ、１６  ＷＧＷ端末、２０  ＣＰＵ、２１  ＲＯＭ／ＲＡＭ、２２  表示部、２３  キー入力部、２４  アンテナ、２５  受信部、２６  送信部、２７  シンセサイザ、２８  信号処理部、２９  送話用マイク、３０  受話用スピーカ、３１  イヤホンジャック、３２  バス
【図１】
2004172968.tif 000003
【図２】
2004172968.tif 000004
【図３】
2004172968.tif 000005